(57)【要約】【課題】本発明は、簡単な構成で、かつ安定した昇降動作が行われる昇降手段を備えた食器洗い機を提供することを目的とする。【解決手段】本発明は、外枠体と、前後方向に移動して前記外枠体に出し入りをする洗浄槽と、この洗浄槽の出し入りを案内する案内手段と、前記洗浄槽内に置かれる食器かごと、この食器かごを上下に昇降させる昇降手段とを有する食器洗い機において、前記昇降手段は、前記洗浄槽内に縦に設けられ、かつ螺旋ねじが形成された回転自在なる回転ロッドと、前記回転ロッドの螺旋ねじに螺合し、かつ回転ロッドの回転により上下移動する移動部材と、前記回転ロッドを回転駆動する駆動手段とを有することを特徴とする。【選択図】図１
2006141516.tif 000002
【特許請求の範囲】
【請求項１】
外枠体と、前後方向に移動して前記外枠体に出し入りをする洗浄槽と、この洗浄槽の出し入りを案内する案内手段と、前記洗浄槽内に置かれる食器かごと、この食器かごを上下に昇降させる昇降手段とを有する食器洗い機において、
前記昇降手段は、前記洗浄槽内に縦に設けられ、かつ螺旋ねじが形成された回転自在なる回転ロッドと、前記回転ロッドの螺旋ねじに螺合し、かつ回転ロッドの回転により上下移動する移動部材と、前記回転ロッドを回転駆動する駆動手段とを有することを特徴とする食器洗い機。
【請求項２】
外枠体と、前後方向に移動して前記外枠体に出し入りをする洗浄槽と、この洗浄槽の出し入りを案内する案内手段と、前記洗浄槽内に置かれる食器かごと、この食器かごを載置し、かつ上下に昇降移動する載置トレーと、食器かごを上下に昇降させる昇降手段とを有する食器洗い機において、
前記昇降手段は、前記洗浄槽内に縦に設けられ、かつ螺旋ねじが形成された回転自在なる回転ロッドと、前記回転ロッドの螺旋ねじに螺合し、かつ回転ロッドの回転により上下移動するところの前記載置トレーに設けられた移動部材と、前記回転ロッドを回転駆動する駆動手段とを有することを特徴とする食器洗い機。
【請求項３】
請求項１または２記載の食器洗い機において、
前記回転ロッドを前記洗浄槽の四隅に設けたことを特徴とする食器洗い機。
【請求項４】
請求項１から３の何れか一つに記載された食器洗い機において、
前記駆動手段として電動機を用い、前記電動機を前記洗浄槽の外底部側に配置したことを特徴とする食器洗い機。
【請求項５】
請求項１から４の何れか一つに記載された食器洗い機において、
前記回転ロッドの上端側と下端側を軸受で回転自在に支持したことを特徴とする食器洗い機。
【請求項６】
請求項１から４の何れか一つに記載された食器洗い機において、
前記回転ロッドのメカニカルシールを前記洗浄槽の内底部側に設けたことを特徴とする食器洗い機。
【発明の詳細な説明】
【技術分野】
【０００１】
本発明は、洗浄槽内に設けた食器かごを昇降できる食器洗い機の改良に係わるものである。
【背景技術】
【０００２】
この種の食器洗い機は、例えば、特許文献１（特開２００１−２２４５４７号公報）に示される。
【０００３】
食器洗い機は、洗浄槽内に設けた食器かごを昇降できる昇降手段を有する。洗浄槽内の食器かごを上方に移動させた上昇位置で食器の出し入れが行われる。
【０００４】
【特許文献１】特開２００１−２２４５４７号公報
【発明の開示】
【発明が解決しようとする課題】
【０００５】
上記従来の食器洗い機は、水圧シリンダーを用いた昇降手段を有する。
【０００６】
水圧シリンダーの昇降手段は、圧力源の水道水を切り替える切り替え装置や配管が複雑である。また、水道水の水圧が変ると昇降動作が不安定になる等の問題をある。
【０００７】
本発明は、上記の問題に鑑み、簡単な構成で、かつ安定した昇降動作が行われる昇降手段を備えた食器洗い機を提供することを目的とする。
【課題を解決するための手段】
【０００８】
本発明は、外枠体と、前後方向に移動して前記外枠体に出し入りをする洗浄槽と、この洗浄槽の出し入りを案内する案内手段と、前記洗浄槽内に置かれる食器かごと、この食器かごを上下に昇降させる昇降手段とを有する食器洗い機において、前記昇降手段は、前記洗浄槽内に縦に設けられ、かつ螺旋ねじが形成された回転自在なる回転ロッドと、前記回転ロッドの螺旋ねじに螺合し、かつ回転ロッドの回転により上下移動する移動部材と、前記回転ロッドを回転駆動する駆動手段とを有することを特徴とする。
【発明の効果】
【０００９】
本発明によれば、簡単な構成で、かつ安定した昇降動作が行われる昇降手段を備えた食器洗い機を提供することができる。
【発明を実施するための最良の形態】
【００１０】
本発明の実施形態に係わる実施例について、図を引用して説明する。
【００１１】
まず、図１〜図４に沿って食器洗い機の概要から説明する。この食器洗い機は、台所の流し台に組み込まれる形態のものである。
【００１２】
食器洗い機の外枠体１内には、洗浄槽２が備わる。洗浄槽２は、外枠体１に引き出し自在に収納される。図示されていないが、洗浄槽２の出し入れを円滑にするための案内レールやローラなどが備わる。洗浄槽２の前面には、各種のスイッチや各種の表示ランプ等が配置された操作パネル３が設けられる。また操作パネル３の下部が洗浄槽２を出し入れする操作ハンドルになっている。
【００１３】
食器類を収納する食器かご４は、洗浄槽２に備わる。食器かご４の下方になる洗浄槽２の内底には、回転ノズル体５と電動ポンプ６が設けられる。回転ノズル体５は、洗浄水を噴射するノズル７を有する。電動ポンプ６は、回転ノズル体５に洗浄水を加圧供給する。この加圧供給水を受けて回転ノズル体５は、ノズル７から勢いよく洗浄水を噴射し、その反動で回転ノズル体５は回転する。回転ノズル体５は、回転しながら広範囲に洗浄水を噴射する。
【００１４】
電動ポンプ６は、排水ポンプ部１０を有する。電動ポンプ６は、回転ノズル体５に洗浄水を供給する洗浄ポンプ部と、洗浄水を排水する排水ポンプ部１０を有するのである。排水ポンプ部１０は、洗浄槽２の底部に設けた排水口８から洗浄水を吸い込み、排水ホース（図示せず）を介して食器洗い機の機外に排水する。
【００１５】
洗浄ポンプ部と排水ポンプ部１０は、電動ポンプ６の回転方向によって切り替わる。正転方向の回転では、洗浄ポンプ部がポンプとして機能し、逆転方向の回転では排水ポンプ部１０がポンプとして機能するように切り替わる。電動ポンプ６を駆動する電動機の正転／逆転によって切り替えが行われる。
【００１６】
食器かご４は、洗浄槽２内を上下に昇降する。食器かご４は、食器洗い機が稼動しているときには洗浄槽２の内底側に位置している。食器の出し入れに際して、食器かご４は、上側に上げた上昇位置に置かれる。食器かご４が上昇位置にあるので、食器の出し入れがし易い。
【００１７】
次に食器かごの昇降を行う昇降手段について述べる。
【００１８】
昇降手段は、回転自在なる回転ロッド２０と、回転ロッド２０の回転により上下移動する移動部材２１と、回転ロッド２０を回転駆動する駆動手段とを有する。回転ロッド２０は、洗浄槽２内の４隅に縦に置かれるように設けられる。
【００１９】
回転ロッド２０は、外周に螺旋ネジを有する。この螺旋ネジに螺合し、回転ロッド２０の回転により上下移動する移動部材２１は、食器かご４の４隅に設けられる。回転ロッドを回転駆動する駆動手段は、昇降用の電動機２２、減速手段２３を有する。
【００２０】
回転ロッド２０の上／下端側は、上側の軸受２４と、下側の軸受２５とで回転自在に支持される。下側の軸受２５は、洗浄槽２の外側下面に設けられる。電動機２２の回転は、減速手段２３を介して回転ロッド２０の下端側に伝えられる。回転ロッド２０の下端側は洗浄槽２の底側を貫いて外部に突出する。この突出部分が減速手段２３の出力側と連結される。
【００２１】
洗浄槽２の内底部には、回転ロッド２０の下端側のシールを行うメカニカルシール２６が設けられる。メカニカルシール２６により、洗浄槽２内の洗浄水は封止されるので、下側の軸受２５、減速手段２３、および電動機２２には、洗浄水の回り込みが阻止される。また電動機は、洗浄槽２の外側に置かれるので、通常の電気絶縁仕様で足り、高価な２重絶縁が不要である。メカニカルシール２６の上側には、シールカバ−２７が設けられ、メカニカルシール２６に異物が入るのを抑えている。
【００２２】
食器かご４を支持する移動部材２１は、回転ロッド２０の一方の回転（正回転）で上方移動し、他方の回転（逆回転）で下方移動する。食器かご４の上下移動は、４隅に設けた４本の回転ロッド２０で案内されるので、安定した姿勢が保たれる。
【００２３】
食器かご４の昇降手段は、回転自在なる回転ロッド２０と、回転ロッド２０の回転により上下移動する移動部材２１と、回転ロッド２０を回転駆動する駆動手段で構成されるので、昇降シリンダーを用いるものに比べ、構成が簡単である。また、水道の水圧を利用する昇降シリンダーに比べ、安定した昇降動作を得ることができる。また、回転ロッド２０の螺旋ネジに螺合する移動部材２１の上下移動は、回転ロッド２０の回転で行われるので、食器かごの荷重で自然降下する不具合は生じない。別にブレーキを設けることは不要である。
【００２４】
食器かごの上げ下げ高低は、２００ｍｍ程度である。回転ロッド２０の長さを選ぶことにより、２００ｍｍの上下移動巾はもちろん、それ以上の上下移動巾にも適応させることができる。
【００２５】
次に食器洗い機のブロック制御回路について図５に沿い説明する。
【００２６】
制御手段（マイコン）４０は、溢水センサ４１、水位センサ４２、ヒータ温度検知手段４３、エアポンプ圧力スイッチ４４、ドアスイッチ４５、操作部４６、引出完了検知スイッチ４７の各種信号を演算処理して各種負荷を制御したり、表示部４８の表示制御を行う。
【００２７】
電源回路６０は、商用電源６１の交流を低圧の直流に換えて制御手段４０に供給する。電動ポンプ用のモータ６２は、インバータ回路６３により駆動される。インバータ回路６３には、フィルタ回路６４、全波整流回路６５を介して商用電源６１の交流を直流に換えた直流電力が供給される。
【００２８】
インバータ回路６３に供給される直流の電圧は電圧検知手段６６で検知され、直流の電流は電流検知手段６７で検知される。インバータ回路６３は、制御手段４０に指示のもとで、作動する駆動回路６８の信号により駆動制御される。モータ６２はブラシレスＤＣモ−タで、磁極位置検知回路６９が出力する磁極位置検知信号に基づいて駆動電流の通電が行われる。
【００２９】
シーズヒータ８０は、洗浄水の加熱をするもので、洗浄槽２の下部に設けられる水溜部に備えられる。シーズヒータ８０は、温度ヒュ−ズ８１、温度サーモスイッチ８２をヒータリレー８３の接点８３Ａを介して商用電源６１に接続される。ヒータリレー８３の励磁コイル８３Ｂは、制御手段４０の指示により通電が行われ、励磁コイル８３Ｂの励磁により、シーズヒータ８０に通電が行われる。
【００３０】
エアポンプ８４は、洗浄槽２の上縁部と、外枠体１の内側天井とのシールパッキングを伸縮させるポンプで、排気ポンプ部８４Ａと、給水ポンプ部８４Ｂを有する。排気ポンプ部８４Ａは、シールパッキングの空気を抜く。給水ポンプ部８４Ｂはシールパッキングに空気を供給する。
【００３１】
排気ポンプ部８４Ａは、排気ポンプリレー８５の接点８５Ａを介して商用電源６１に接続される。給気ポンプ部８４Ｂは、給気ポンプリレー８６の接点８６Ａを介して商用電源６１に接続される。排気ポンプリレー８５の励磁コイル８５Ｂは、制御手段４０の指示により通電が行われ、励磁コイル８５Ｂの励磁により、排気ポンプ部８４Ａが駆動される。給気ポンプリレー８６の励磁コイル８６Ｂは、制御手段４０の指示により通電が行われ、励磁コイル８６Ｂの励磁により、給気ポンプ部８４Ｂが駆動される。
【００３２】
給気ポンプ部８４Ｂの駆動はエアポンプ圧力スイッチ４４の検知圧力により制御され、シールパッキングは良好なシール状態に保たれ、洗浄水の漏れが防がれる。
【００３３】
ファンモータ８７は、洗浄槽２内に乾燥空気を循環させるもので、すすぎ工程後に運転される。ファンモータ８７は、ファンリレー８９の接点８９Ａを介して直流の電源回路６０に接続される。ファンリレー８９の励磁コイル８９Ｂは、制御手段４０の指示により通電が行われ、励磁コイル８９Ｂの励磁により、ファンモータ８７が駆動される。
【００３４】
昇降用の電動機２２は、前述したように食器かごの上げ下げに用いるもので、正転／逆転が行われる。正転で食器かごは上げられ、逆転で食器かごは下げられる。
【００３５】
昇降用の電動機２２は、正転りレー９０の接点９０Ａを介して直流の電源回路６０に接続される。正転りレー９０の励磁コイル９０Ｂは、制御手段４０の指示により通電が行われ、励磁コイル９０Ｂの励磁により、昇降用の電動機２２は正転する。
【００３６】
また、昇降用の電動機２２は、逆転りレー９１の接点９１Ａを介して直流の電源回路６０に接続される。逆転りレー９１の励磁コイル９１Ｂは、制御手段４０の指示により通電が行われ、励磁コイル９１Ｂの励磁により、昇降用の電動機２２は逆転する。
【００３７】
次に食器かごの上げ下げに関し、動作の面から説明する。
【００３８】
食器の出し入れに際し、洗浄槽２の操作ハンドルをつかんで洗浄槽２を図２に示すように引き出す。
【００３９】
洗浄槽２が完全に引き出されると、引出完了検知スイッチ４７に検知される。この引出完了検知スイッチ４７の検知信号を受けて制御手段４０は、昇降用の電動機２２の正転を指示する。昇降用の電動機２２の正転で回転ロッド２０が回転し、この回転にともない移動部材２１が上下移動して食器かご４を上下げする。
【００４０】
食器かご４が図３に示す上昇位置に達すると、上昇位置検知スイッチ（図示せず）が上昇位置検知信号を出力し、この出力信号を受けて制御手段４０は昇降用の電動機２２の正転は止める指示をする。食器かご４は、上昇位置に保持される。食器の出し入れは、食器かご４が上昇位置にあるので、洗浄槽２の内側底部にあるものに比べ、し易いのである。
【００４１】
食器かご４に食器を収納し終えたら、食器かご４を下方位置に下げる。この下方位置への移動は、操作パネル３に設けた降下指示スイッチ（図示せず）を押すこと、昇降用の電動機２８が逆転して行われる。
【００４２】
食器かご４が下方位置のところまで来ると、下方位置検知スイッチ（図示せず）が下方位置検知信号を出力し、この出力信号を受けて制御手段４０は昇降用の電動機２２の逆転を止める指示をするのである。
【００４３】
前述したように昇降用の電動機２２の正転は、引出完了検知スイッチ４７の検知信号を受けて行われるが、上昇指示すスイッチ（図示せず）を用いて指示することもできる。
【００４４】
次に図６を引用して他の実施例を説明する。
【００４５】
ここでは、先に述べた実施例との違いを主に説明する。共通するところは、共通の符号を付す程度に止める。
【００４６】
この実施例は、食器かご４を載置する昇降トレー９を設けた点が特徴である。また、移動部材２１を、食器かご４に設けないで昇降トレー９に設けたところが先の実施例と相違する。
【００４７】
食器かご４は、昇降トレー９に載せたり、下ろしたりできる。食器かご４を下ろして洗浄槽２の内部を掃除できるので、掃除がし易い。また、食器が入ったままで、食器かご４を食器洗い機に出し入れする使い方もできるので、使い勝手が増す。
【００４８】
昇降トレー９は、周囲に上向きの縁部が設けられているので、食器かご４の位置ずれガ抑えられる。昇降トレー９は、周囲を除き、大部分が開口、あるいは格子状に形成されているので、回転ノズル体５から噴射した洗浄水で食器かご４の食器が良く洗浄される。また、食器かご４を容易に係合／離脱できる係合手段を昇降トレー９に設けることにより、食器かごの載置が安定する。
【図面の簡単な説明】
【００４９】
【図１】本発明の実施例に係わる食器洗い機の縦断面図。
【図２】本発明の実施例に係わる食器洗い機の縦断面図で、洗浄槽を引き出した状態を示す。
【図３】本発明の実施例に係わる食器洗い機の縦断面図で、食器かごを上昇位置に置いた状態を示す。
【図４】本発明の実施例に係わるもので、図３のＡ−Ａ断面図。
【図５】本発明の実施例に係わる食器洗い機のブロック制御回路図。
【図６】本発明の他の実施例に係わる食器洗い機の縦断面図。
【符号の説明】
【００５０】
１…外枠体、２…洗浄槽、５…回転ノズル体、６…電動ポンプ、４…食器かご、２０…回転ロッドと、２１…移動部材、２２…電動機。
【図１】
2006141516.tif 000003
【図２】
2006141516.tif 000004
【図３】
2006141516.tif 000005
【図４】
2006141516.tif 000006
【図５】
2006141516.tif 000007
【図６】
2006141516.tif 000008